(57)【要約】【課題】  フレキシブルフラットケーブルから放射される不要輻射ノイズを効果的に抑えるとともに、組付け作業を容易に行えるようにする。【解決手段】  シャーシフレーム５上にディスク装置２とディスク装置制御基板３とを並列配置する。ディスク装置２に備えられるピックアップ部１０とディスク装置制御基板３とをフレキシブルフラットケーブル８で電気的に接続する。フレキシブルフラットケーブル８の一部をシャーシフレーム５に密着させて接着テープ２０で止着する。これにより、フレキシブルフラットケーブル８に伝播する不要輻射ノイズがシャーシフレーム５に流れ、不要輻射ノイズが削減される。【選択図】        図１
2006031858.tif 000002
【特許請求の範囲】
【請求項１】
ディスク媒体からの信号の読み込み若しくは書き込み又は読書きを行うディスク装置と、概ディスク装置の制御・駆動及び前記ディスク装置からの入出力される信号の制御を行うディスク装置制御基板とが並設配置され、このディスク装置制御基板と前記ディスク装置とをフレキシブルフラットケーブルで接続するディスク装置を内蔵した電子機器において、前記ディスク装置制御基板と前記ディスク装置が導電性のシャーシフレームに組み付けられ、このシャーシフレームに前記フレキシブルフラットケーブルを部分的に密着させる保持手段を設けたことを特徴とするディスク装置を内蔵した電子機器。
【請求項２】
前記保持手段が接着テープであることを特徴とする請求項１記載にディスク装置を内蔵した電子機器。
【請求項３】
前記保持手段が前記シャーシフレームに形成した切り起こし部であることを特徴とする請求項１記載にディスク装置を内蔵した電子機器。
【請求項４】
前記保持手段が前記シャーシフレームに係止するフック部であることを特徴とする請求項１記載にディスク装置を内蔵した電子機器。
【発明の詳細な説明】
【技術分野】
【０００１】
本発明は、特にディスク装置制御基板とディスク装置とをフレキシブルフラットケーブルで電気的に接続するディスク装置を内蔵した電子機器、特にフレキシブルフラットケーブルから放射する不要輻射ノイズに対して有効なディスク装置を内蔵した電子機器に関する。
【背景技術】
【０００２】
近年、ディスク装置は、ディスクプレーヤやＣＤプレーヤ等に限られず、テレビジョン受像機本体にも内蔵されるなど、その使用範囲は広範囲に及んでいる。このような、ディスク装置には、ディスク媒体から信号の読込み若しくは書込み又は読書きを行うために当該ディスク媒体の半径方向に往復移動するピックアップ部が備えられており、当該ピックアップ部からの信号を制御基板等に伝達するためにフレキシブルフラットケーブルによってピックアップ部と制御基板等とが電気的に接続されている。
【０００３】
ところで、このようなディスク装置を組み込んだテレビジョン受像機、特に、薄型フラットパネルを用いたテレビジョン受像機においては、その省スペース化のメリットを生かすために、装置自体がより薄型化される傾向にある。このため、図６に示すように、例えば、ディスク装置Ａと、これを制御するディスク装置制御基板Ｂとを並列配置し、高さ方向に嵩張らないようなレイアウトとしている。このため、こうした空間的な余裕がない部分にディスク装置Ａとディスク装置制御基板Ｂとを並設する場合、これらを電気的に接続するフレキシブルフラットケーブルＣがディスク装置Ａとディスク装置制御基板Ｂとに跨って直線的に配置されることから、フレキシブルフラットケーブルＣがアンテナとして機能し、フレキシブルフラットケーブルＣ及びフレキシブルフラットケーブルＣで接続されたディスク装置Ａ又はディスク装置制御基板Ｂから不要輻射ノイズが放射され、様々な障害が発生する。こうした、電気・電子装置から放射される不要輻射は、周辺の電気・電子装置が障害を起こすことが問題となっており、電気・電子装置装置の電磁環境両立性（ＥＭＣ：ＥＬＥＣＴＲＯ−Ｍａｇｎｅｔｉｃ  Ｃｏｍｐａｔｉｂｉｌｉｔｙ）が重要である。このＥＭＣには、電気・電子装置が外部に対して悪影響を及ぼす電磁気的妨害（ＥＭＩ：Ｅｌｅｃｔｒｏ−Ｍａｇｎｅｔｉｃ  Ｉｎｔｅｒｆｅｒｅｎｃｅ）と、外部からの電磁気的妨害に耐えるイミュニティ（ＥＭＳ：Ｅｌｅｃｔｒｏ−Ｍａｇｎｅｔｉｃ  Ｓｕｓｃｅｐｔｉｂｉｌｉｔｙ）とがあり、前述したテレビジョン受像機の表示パネルとして液晶ディスプレイ（Liquid  Crystal  Display）を用いる場合、アナログ回路を含むLCD制御用回路などに使用されるＩＣはそれぞれ異なる周波数の水晶発振子によって基準周波数を決定していることから、異なる基準周波数による周波数干渉ノイズを発生するとともに、テレビジョン受像機に搭載されたチューナのＣＨ周波数などが高調波ノイズとなる。さらに、ディスク装置Ａは、光ディスクに記録されたデジタル画像信号のデジタル信号処理とＤ／Ａ変換とを行うことによって、最終的にアナログ画像信号を得る構成となっており、クロック周波数は極めて高い周波数となっている。このため、ディスク装置Ａから輻射される高周波ノイズは、極めてレベルが大きく、テレビ回路基板とディスク装置との１つの筐体の内部に設ける場合には、ディスク装置から輻射されるノイズが、テレビ回路基板に混入し、テレビジョン受像機の画面や音声にノイズが混入するという事態を招いていた。
【０００４】
こうした不要輻射に対する対策に関する技術として、例えば特許文献１には、ディスク装置と、ディスク装置とテレビ回路基板とを接続するフィルタ基板とをシールドケースによって覆うとともに、筐体を絶縁材によって形成することによって、筐体外部への不要輻射のレベルを低減すると共に、ディスク装置が発生するノイズがテレビ回路基板に与える影響を低減するディスク装置内蔵型テレビジョンが提案されている。また、特許文献２には、不要輻射ノイズ源であるデジタル回路部分を２層以上の高密度プリント配線板を用いてモジュール化し、アンテナとして機能するケーブルなどを使用しないことによって、不要輻射ノイズ特性を改善するように構成したプリント配線板ユニットが提案されている。さらに、特許文献３には、第１と第２のプリント配線基板が配線ケーブルによって接続されて筐体に組み込まれ、その配線ケーブルを、筐体を仕切板で仕切った隙間部分を経由して配線することによって配線ケーブルに起因する放射ノイズを防止するようにしたケーブル配線方法が開示されている。
【０００５】
【特許文献１】実用新案登録第３０７５８０８号公報
【特許文献２】特開平１１−１１９８６２号公報
【特許文献３】特開平１１−２９８１６８号公報
【発明の開示】
【発明が解決しようとする課題】
【０００６】
しかし、特許文献１では、ディスク装置と、ディスク装置とテレビ回路基板とを接続するフィルタ基板とをシールドケースで覆うことから、装置全体が大型化し、小型化の妨げとなるばかりでなく、シールドケースを用いることから製造コストが上昇するとともにシールドケースを組付ける手間がかかり、組付け作業性に劣る。また、特許文献２においても、複数のプリント配線基板を電気的に接続する構成であって、図６に示すように、ディスク装置Ａと、これを制御するディスク装置制御基板Ｂとを多層に組付けてモジュール化することが技術的に困難である。また、特許文献３に示すように、筐体を仕切板で仕切った隙間部分を経由して配線ケーブルを配線する構造では、配線ケーブルの引き回しが面倒であり、作業効率に劣る、といった課題を有していた。
【０００７】
本発明は、上記課題に鑑みてなされたもので、フレキシブルフラットケーブルから放射される不要輻射ノイズを効果的に抑えるとともに、組付け作業を容易に行うことができるディスク装置を内蔵した電子機器を提供することを目的とする。
【課題を解決するための手段】
【０００８】
本発明の請求項１のディスク装置を内蔵した電子機器は、ディスク媒体からの信号の読み込み若しくは書き込み又は読書きを行うディスク装置と、概ディスク装置の制御・駆動及び前記ディスク装置からの入出力される信号の制御を行うディスク装置制御基板とが並設配置され、このディスク装置制御基板と前記ディスク装置とをフレキシブルフラットケーブルで接続するディスク装置を内蔵した電子機器において、前記ディスク装置制御基板と前記ディスク装置が導電性のシャーシフレームに組み付けられ、このシャーシフレームに前記フレキシブルフラットケーブルを部分的に密着させる保持手段を設けたことを特徴とする。
【０００９】
請求項１の構成により、薄型化のためディスク装置とディスク装置制御基板とを並設配置する場合、ディスク装置とディスク装置制御基板を接続するフレキシブルフラットケーブルが直線的に配置され、フレキシブルフラットケーブルがアンテナとして機能することになるが、フレキシブルフラットケーブルを、導電性を有するシャーシフレームに部分的に密着させることで、フレキシブルフラットケーブルを伝搬して放射される不要輻射ノイズがシャーシフレームに伝播し、外部への漏洩を抑制することが可能となる。
【００１０】
本発明の請求項２のディスク装置を内蔵した電子機器は、請求項１記載にディスク装置を内蔵した電子機器において、前記保持手段が接着テープであることを特徴とする。
【００１１】
請求項２の構成により、フレキシブルフラットケーブルを接着テープで導電性のシャーシフレームに止着することでフレキシブルフラットケーブルを伝搬して放射される不要輻射ノイズがシャーシフレームに伝播し、外部への漏洩を抑制することが可能となる。
【００１２】
本発明の請求項３のディスク装置を内蔵した電子機器は、請求項１記載にディスク装置を内蔵した電子機器において、前記保持手段が前記シャーシフレームに形成した切り起こし部であることを特徴とする。
【００１３】
請求項３の構成により、フレキシブルフラットケーブルをシャーシフレームに形成した切り起こし部に通してシャーシフレームに止着することでフレキシブルフラットケーブルを伝搬して放射される不要輻射ノイズがシャーシフレームに伝播し、外部への漏洩を抑制することが可能となる。
【００１４】
本発明の請求項４のディスク装置を内蔵した電子機器は、請求項１記載にディスク装置を内蔵した電子機器において、前記保持手段が前記シャーシフレームに係止するフック部であることを特徴とする。
【００１５】
請求項４の構成により、フックをシャーシフレームに係止し、このフックでシャーシフレームにフレキシブルフラットケーブルを止着することでフレキシブルフラットケーブルを伝搬して放射される不要輻射ノイズがシャーシフレームに伝播し、外部への漏洩を抑制することが可能となる。
【発明の効果】
【００１６】
本発明の請求項１のディスク装置を内蔵した電子機器によれば、ディスク媒体からの信号の読み込み若しくは書き込み又は読書きを行うディスク装置と、概ディスク装置の制御・駆動及び前記ディスク装置からの入出力される信号の制御を行うディスク装置制御基板とが並設配置され、このディスク装置制御基板と前記ディスク装置とをフレキシブルフラットケーブルで接続するディスク装置を内蔵した電子機器において、前記ディスク装置制御基板と前記ディスク装置が導電性のシャーシフレームに組み付けられ、このシャーシフレームに前記フレキシブルフラットケーブルを部分的に密着させる保持手段を設けたものであるから、電子機器の小型化を損なうことなく、フレキシブルフラットケーブルを導電性のシャーシフレームに止着するといった極めて簡単な作業でフレキシブルフラットケーブルから放射される不要輻射ノイズを削減することができる。また、シールドケースなどの特別な別部品を用いる必要がないから、コスト的にも安価であるとともに、組み立て作業も容易である。
【００１７】
本発明の請求項２のディスク装置を内蔵した電子機器によれば、請求項１記載にディスク装置を内蔵した電子機器において、前記保持手段が接着テープであるから、接着テープでフレキシブルフラットケーブルを止着するといった極めて簡単な作業でフレキシブルフラットケーブルから放射される不要輻射ノイズを削減することができる。
【００１８】
本発明の請求項３のディスク装置を内蔵した電子機器によれば、請求項１記載にディスク装置を内蔵した電子機器において、前記保持手段が前記シャーシフレームに形成した切り起こし部であるから、フレキシブルフラットケーブルをシャーシフレームに形成した切り起こし部に通すだけで、極めて簡単にフレキシブルフラットケーブルから放射される不要輻射ノイズを削減することができる。
【００１９】
本発明の請求項４のディスク装置を内蔵した電子機器によれば、請求項１記載にディスク装置を内蔵した電子機器において、前記保持手段が前記シャーシフレームに係止するフック部であるから、フックをシャーシフレームに係止し、このフックでシャーシフレームにフレキシブルフラットケーブルを止着するだけで、極めて簡単にフレキシブルフラットケーブルから放射される不要輻射ノイズを削減することができる。
【発明を実施するための最良の形態】
【００２０】
以下、添付図面を参酌しながら、本発明を実施するための最良の形態としての実施例を説明する。
【００２１】
図１〜図３は本発明の一実施例を示しており、図１は本実施例のディスク装置を内蔵した液晶表示装置の分解斜視図であり、図２は同液晶表示装置のバックキャビネットを取り外した状態を示す背面図、図３はシャーシフレームとディスク装置及びディスク装置制御基板の分解斜視図である。
【００２２】
本実施例のディスク装置を内蔵した液晶表示装置１（以下単にＬＣＤ１と称す）は、図１〜図３に示されるように、ディスク装置２、ディスク装置制御基板３、ＬＣＤモジュール（図示せず）、メイン制御基板４、シャーシフレーム５、スピーカー６等を筐体７の内部に備える。筐体７はフロントキャビネット７ａとバックキャビネット７ｂとによって構成される。図２及び図３に示されるように、ディスク装置２とディスク装置制御基板３とは並列して配置され、ディスク装置２に備えられるピックアップ部１０からの信号をディスク装置制御基板３に伝達するためのフレキシブルフラットケーブル（以下単にＦＦＣ）８がピックアップ部１０及びディスク装置制御基板３に電気的に接続される。
【００２３】
ディスク装置２は、光ディスク媒体１１の半径方向に往復移動するピックアップ部１０などを備えることにより、光ディスク媒体１１からの信号の読込み若しくは書込み又は読書きを行うものであり、ディスク装置制御基板３は、ディスク装置２に備えられる駆動モータ等の制御又はピックアップ部１０から入出力される信号の制御などを行う基板である。ＬＣＤモジュールは、ＬＣＤ１と該ＬＣＤ１を制御・駆動する液晶パネル駆動回路、光源であるバックライト及び当該バックライトを制御・駆動するインバータ回路などを備えるものであり、メイン制御基板４は、ＬＣＤモジュールの制御及び映像・音声の信号の処理・制御等を行うものである。なお、メイン制御基板４及びディスク装置制御基板３は図では簡単化しているが、構造的には回路パターンが印刷されたプリント基板上に種々の電気・電子部品などが実装されたものである。これらのディスク装置制御基板３、ディスク装置２及びメイン制御基板４は図３に示すように前記ＬＣＤ１の裏面に取り付けた導電性を備えたシャーシフレーム５にねじ１５によって固定され、ディスク装置制御基板３は金属製のシールドカバー１６で覆われている。このようにしてシャーシフレーム５上に並列配置されたディスク装置２とディスク装置制御基板３と接続するＦＦＣ８は保持手段として例えば接着テープ２０を用いてシャーシフレーム５と部分的に密着させている。なお、図中の符号２５はＬＣＤ１を支持するスタンドである。
【００２４】
以上のように、本実施例においては、ＬＣＤ１の薄型化を図るために、シャーシフレーム５上にディスク装置２とディスク装置制御基板３とを並設配置することから、ディスク装置２とディスク装置制御基板３を接続するＦＦＣ８が直線的に配置され、ＦＦＣ８がアンテナとして機能することになるが、ＦＦＣ８は接着テープ２０によって導電性を有するシャーシフレーム５に部分的に密着した状態で止着されているから、ＦＦＣ８を伝搬して放射される不要輻射ノイズがシャーシフレーム５に伝播し、外部へと漏洩することを抑制することができる。したがって、表示装置の小型化を損なうことなく、接着テープ２０でＦＦＣ８を止着するといった極めて簡単な作業でＦＦＣ８から放射される不要輻射ノイズを削減することができる。また、従来のように、ＦＦＣ８を覆うシールドケースなども不要であるから、コスト的にも安価であるとともに、部品点数を増加させることがないから、組み立て作業も容易である。
【００２５】
以上、本発明の実施例について詳述したが、本発明は、前記実施例に限定されるものではなく、本発明の要旨の範囲内で種々の変形実施が可能である。例えば、前記実施例では、保持手段としては、接着テープ２０を用いた例を示したが、図４に示すように、シャーシフレーム５に左右一対の切り起こし部２１を形成し、この切り起こし部２１にＦＦＣ８を係止してＦＦＣ８をシャーシフレーム５に部分的に密着させることもできるし、あるいは図５に示すように、着脱自在なフック２２をシャーシフレーム５に係止してＦＦＣ８をシャーシフレーム５に部分的に密着させることもできるものであって、保守手段の構成は前記実施例に何等限定されるものではなく、適宜選定すればよいものである。
【００２６】
また、前記実施例では、ディスク装置２とディスク装置制御基板３とを１本のＦＦＣ８で接続した例を示したが、回路構成によって複数のＦＦＣ８でディスク装置２とディスク装置制御基板３とを接続する場合もあり、この場合、複数のＦＦＣ８をシャーシフレーム５に例えば接着テープ２０などを用いて密着させればよい。さらに、前記実施例では、ディスク装置２とディスク装置制御基板３とを接続するＦＦＣ８をほぼ水平に這わせた例を示したが、ＦＦＣ８を垂直方向に引き回してディスク装置２とディスク装置制御基板３とを接続することも可能であり、ＦＦＣ８の向きなども適宜選定すればよい。
【図面の簡単な説明】
【００２７】
【図１】本発明の一実施例を示す液晶表示装置の分解斜視図である。
【図２】同上、バックキャビネットを取り外した状態を示す背面図である。
【図３】同上、ＬＣＤの分解斜視図である。
【図４】本発明の保持手段の変形例を示す液晶表示装置の分解斜視図である。
【図５】本発明の保持手段の他の変形例を示す液晶表示装置の分解斜視図である。
【図６】従来例を示す液晶表示装置の分解斜視図である。
【符号の説明】
【００２８】
１  ＬＣＤ
２  ディスク装置
３  ディスク装置制御基板
５  シャーシフレーム
８  ＦＦＣ
１０  ピックアップ
２０  接着テープ（保持手段）
２１  切り起こし部（保持手段）
２２  フック（保持手段）
【図１】
2006031858.tif 000003
【図２】
2006031858.tif 000004
【図３】
2006031858.tif 000005
【図４】
2006031858.tif 000006
【図５】
2006031858.tif 000007
【図６】
2006031858.tif 000008